(57)【要約】      （修正有）【課題】各管に流入・流出する液体の流れを乱さないように３本の管を連結することができる管継ぎ手を提供する。【解決手段】第１の連結部１１は、第１の管と接合する第１の開口部１１ａを備えている。第２連結部１３は、第２の管と接合する第２の開口部１３ａを備えている。第３の連結部１５は、第３の管と接合する第３の開口部１３ｂを備えている。開口部１１ａ，１３ａ，１５ａのうち２つから流入した液体を、１つの開口部から流出したり、開口部１１ａ，１３ａ，１５ａのうち１つから流入した液体を２つの開口部から流出する。【選択図】図６
0003169719.tif 000002
【実用新案登録請求の範囲】
【請求項１】
第１の管と接合する第１の開口部を備えた第１の連結部と、
第２の管と接合する第２の開口部を備えた第２の連結部と、
第３の管と接合する第３の開口部を備えた第３の連結部と、
前記第１の連結部と前記第２の連結部と前記第３の連結部との間に介在し、前記第１の開口部と前記第２の開口部と前記第３の開口部とを連通する接合部と
を有する管継ぎ手。
【請求項２】
前記第１の連結部と前記第２の連結部、前記第２の連結部と前記第３の連結部、並びに前記第３の連結部と前記第１の連結部は、それぞれ線対称の形状をしている
請求項１に記載の管継ぎ手。
【請求項３】
前記第１の管、前記第２の管および前記第３の管は、それぞれ前記第１の開口部、前記第２の開口部および前記第３の開口部内に、嵌め込まれる
請求項１または請求項２に記載の管継ぎ手。
【請求項４】
前記第１の連結部、前記第２の連結部および前記第３の連結部の前記接合部側の内径は、それぞれ前記第１の開口部、前記第２の開口部および前記第３の開口部の内径より大きい
請求項１〜３のいずれかに記載の管継ぎ手。
【考案の詳細な説明】
【技術分野】
【０００１】
本考案は、３本の管を連結する管継ぎ手に関するものである。
【背景技術】
【０００２】
管継ぎ手としては、様々なものが知られている。
従来の管継ぎ手は、２本の管を直線方向あるいは屈曲した方向に接合する。
【考案の概要】
【考案が解決しようとする課題】
【０００３】
ところで、各管に流入・流出する液体の流れを乱さないように３本の管を連結させたいという要請がある。
しかしながら、このような要請に適切に応える管継ぎ手は知られていない。
【０００４】
本考案はかかる事情に鑑みてなされたものであり、その目的は、各管に流入・流出する液体の流れを乱さないように３本の管を連結することができる管継ぎ手を提供することにある。
【課題を解決するための手段】
【０００５】
上述した従来技術の問題を解決し、上述した目的を達成するために、本考案の管継ぎ手は、第１の管と接合する第１の開口部を備えた第１の連結部と、第２の管と接合する第２の開口部を備えた第２の連結部と、第３の管と接合する第３の開口部を備えた第３の連結部と、前記第１の連結部と前記第２の連結部と前記第３の連結部との間に介在し、前記第１の開口部と前記第２の開口部と前記第３の開口部とを連通する接合部とを有する。
【０００６】
好適には、本考案の管継ぎ手では、前記第１の連結部と前記第２の連結部、前記第２の連結部と前記第３の連結部、並びに前記第３の連結部と前記第１の連結部は、それぞれ線対称の形状をしている。
【０００７】
好適には、本考案の管継ぎ手では、前記第１の管、前記第２の管および前記第３の管は、それぞれ前記第１の開口部、前記第２の開口部および前記第３の開口部内に、嵌め込まれる。
【０００８】
好適には、本考案の管継ぎ手では、前記第１の連結部、前記第２の連結部および前記第３の連結部の前記接合部側の内径は、それぞれ前記第１の開口部、前記第２の開口部および前記第３の開口部の内径より大きい。
【考案の効果】
【０００９】
本考案によれば、
本考案はかかる事情に鑑みてなされたものであり、その目的は、各管に流入・流出する液体の流れを乱さないように３本の管を連結することができる管継ぎ手を提供することができる。
【図面の簡単な説明】
【００１０】
【図１】図１は、本考案の実施形態に係る管継ぎ手の斜視図である。
【図２】図２は、本考案の実施形態に係る管継ぎ手の正面図である。
【図３】図３は、本考案の実施形態に係る管継ぎ手の背面図である。
【図４】図４は、本考案の実施形態に係る管継ぎ手の右側面図である。
【図５】図５は、本考案の実施形態に係る管継ぎ手の平面図である。
【図６】図６は、本考案の実施形態に係る管継ぎ手の図３に示す断面線Ａ−Ａにおける断面図である。
【考案を実施するための形態】
【００１１】
以下、本考案の実施形態に係わる雄継ぎ手および雌継ぎ手について説明する。
図１は本考案の実施形態に係る管継ぎ手１の斜視図、図２は本考案の実施形態に係る管継ぎ手１の正面図、図３は本考案の実施形態に係る管継ぎ手１の背面図、図４は本考案の実施形態に係る管継ぎ手１の右側面図、図５は本考案の実施形態に係る管継ぎ手１の平面図、図６は本考案の実施形態に係る管継ぎ手１の図３に示す断面線Ａ−Ａにおける断面図である。
【００１２】
図１〜６に示すように、管継ぎ手１は、例えば、第１の連結部１１、第２連結部１３、第３の連結部１５および接合部１７を有する。
第１の連結部１１と第２連結部１３、第２連結部１３と第３の連結部１５、並びに第３の連結部１５と第１の連結部１１は、線対象の形状をしている。
【００１３】
第１の連結部１１は、第１の管と接合する第１の開口部１１ａを備えている。
第２連結部１３は、第２の管と接合する第２の開口部１３ａを備えている。
第３の連結部１５は、第３の管と接合する第３の開口部１３ｂを備えている。
【００１４】
図６に示すように、管継ぎ手１の内部は、第１の連結部１１内の中空部１１ａと、第２連結部１３内の中空部１３ｂと、第３の連結部１５内の中空部１５ｂとが、接合部１７内の中空部１７ａで連通している。
【００１５】
管継ぎ手１では、第１の連結部１１の開口部１１ａ内に第１の管が嵌め込まれ、第２連結部１３の開口部１３ａ内に第２の管が嵌め込まれ、第３の連結部１５の開口部１５ａ内に第３の管が嵌め込まれる。
【００１６】
図６に示すように、管継ぎ手１では、第１の連結部１１、第２連結部１３および第３の連結部１５内の中空部１７ａの内径が、開口部１１ａ，１３ａ，１５ａ側の内径に比べて大きくなっている。
このようにすることで、開口部１１ａ，１３ａ，１５ａのうち２つから流入した液体を、１つの開口部から流出する場合に、内部で液体が滞留して流れが損なわれることを効果的に回避できる。
なお、管継ぎ手１の使用形態として、開口部１１ａ，１３ａ，１５ａのうち１つから流入した液体を、２つの開口部から流出してもよい。
【００１７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態では、第１の連結部１１、第２連結部１３および第３の連結部１５内の中空部１７ａの内径が、開口部１１ａ，１３ａ，１５ａ側の内径に比べて大きくしたが、同径にしてもよい。
【００１８】
また、上述した実施形態では、開口部１１ａ，１３ａ，１５ａの内側に管を嵌め込む場合を例示したが、開口部１１ａ，１３ａ，１５ａの外周が管の内部に嵌め込まれる形態にしてもよい。
【産業上の利用可能性】
【００１９】
本考案は、３本の管を連結する管継ぎ手に適用可能である。
【符号の説明】
【００２０】
１…管継ぎ手
１１…第１の連結部
１３…第２連結部
１５…第３の連結部
１１ａ，１３ａ，１５ａ…開口部
１１ｂ，１３ｂ，１５ｂ…中空部
１７…接合部
【図１】
0003169719.tif 000003
【図２】
0003169719.tif 000004
【図３】
0003169719.tif 000005
【図４】
0003169719.tif 000006
【図５】
0003169719.tif 000007
【図６】
0003169719.tif 000008